(57)【特許請求の範囲】
【請求項１】
ロープを介して連係されたカゴと釣合おもりとを備えたエレベータ装置が、上下階層にわたって設置してある建物であって、
上下階層に通じる吹抜空間が少なくとも一部の階層に形成してあり、
前記吹抜空間に面してエレベータホール部が配置してあり、
前記エレベータホール部と前記吹抜空間との境界部、及び、前記カゴは、前記エレベータホール部と前記吹抜空間との相互から見通せる状態に形成してあり、
前記吹抜空間は、前記釣合おもりの昇降路より下方に配設してあり、前記エレベータ装置は、前記吹抜空間においては、前記釣合おもりは昇降せずに前記カゴのみが昇降する状態にローピングしてある建物。
【請求項２】
前記エレベータ装置のローピングは、前記カゴと前記釣合おもりとを異なるローピング比によって吊り下げることで、前記吹抜空間に前記カゴのみが昇降するように設定してある請求項１に記載の建物。
【請求項３】
前記吹抜空間におけるエレベータシャフト部と、その上方で前記カゴと前記釣合おもりとが昇降するエレベータシャフト部との境目に、下方から前記釣合おもりの存在を見え難くする目隠し部が設けてある請求項１又は２に記載の建物。
【発明の詳細な説明】
【技術分野】
【０００１】
本発明は、ロープを介して連係されたカゴと釣合おもりとを備えたエレベータ装置が、上下階層にわたって設置してある建物に関する。
【背景技術】
【０００２】
従来、この種の建物で、釣合おもりを使用する駆動タイプのエレベータ装置が設けられているものとしては、巻上げドラムに掛けられたロープの両端側にカゴと釣合おもりとを取り付けて、巻上げドラムの回転駆動に伴ってカゴと釣合おもりとがエレベータシャフト内で上下反対方向に相対移動するように形成されているものがあった（例えば、特許文献１、特許文献２参照）。
前記特許文献１には、ガラススクリーンによる区画壁で構成したエレベータシャフトを、アトリウム（吹抜空間）に設けた建物が記載されている。この建物は、アトリウム側から、エレベータシャフト内を昇降するカゴと釣合おもりとが透けて見えるように構成されている。
前記特許文献２には、仕切壁で囲まれたエレベータシャフトの内空部（上端部分）に機器設置スペースを確保するために、釣合おもりを動滑車に取り付けて吊り下げてあるエレベータ装置が記載されている。この建物は、カゴと釣合おもりのローピング比の差によって釣合おもりの昇降寸法が小さくなるようにしてあり、釣合おもりの昇降しない範囲をエレベータシャフト内の上端部分に設定することで、その範囲を前記機器設置スペースとして使用できるようにしてある。
【先行技術文献】
【特許文献】
【０００３】
【特許文献１】特開２００３−３３４２６１号公報（図１）
【特許文献２】国際公開ＷＯ２００４／０２８９４８号（図１）
【発明の概要】
【発明が解決しようとする課題】
【０００４】
上述した特許文献１に記載された建物によれば、通常は閉鎖されて外部から見ることのできないエレベータシャフトを、透視可能に構成してあることで開放的な意匠感が得られる特徴がある。しかしながら、カゴや釣合おもり、及び、それらに関連したロープやレールやケーブル等の繁雑な様子が、あからさまに見えすぎて、美観性の観点から好ましくない問題点があった。
上述した特許文献２に記載された建物によれば、エレベータシャフトそのものが閉鎖的な構造であり、例えば、特許文献１と同様に、仕切壁をガラススクリーン等で形成してアトリウムで透視可能な構造にしたとしても、内部には、カゴや釣合おもり、及び、それらに関連したロープやレールやケーブルに加えて、動滑車や機器設置スペースに設置した各種機器までが存在するから、やはり美観性の観点から好ましくない問題点があった。
【０００５】
従って、本発明の目的は、上記問題点を解消し、エレベータ装置を含む周辺環境に、開放的な意匠感と良好な美観性が得られる建物を提供するところにある。
【課題を解決するための手段】
【０００６】
本発明の第１の特徴構成は、ロープを介して連係されたカゴと釣合おもりとを備えたエレベータ装置が、上下階層にわたって設置してある建物であって、上下階層に通じる吹抜空間が少なくとも一部の階層に形成してあり、前記吹抜空間に面してエレベータホール部が配置してあり、前記エレベータホール部と前記吹抜空間との境界部、及び、前記カゴは
、前記エレベータホール部と前記吹抜空間との相互から見通せる状態に形成してあり、前記吹抜空間は、前記釣合おもりの昇降路より下方に配設してあり、前記エレベータ装置は、前記吹抜空間においては、前記釣合おもりは昇降せずに前記カゴのみが昇降する状態にローピングしてあるところにある。
【０００７】
本発明の第１の特徴構成によれば、上下階層に通じる吹抜空間が少なくとも一部の階層に形成してあり、前記吹抜空間に面してエレベータホール部が配置してあり、前記エレベータホール部と前記吹抜空間との境界部は、相互から見通せる状態に形成してあるから、その階にカゴが存在していない状態では、エレベータホール部から吹抜空間側、及び、吹抜空間からエレベータホール部をそれぞれ見通すことができ、エレベータ装置の存在を感じさせない開放的な意匠感が得られる。また、カゴに関しても同様に、エレベータホール部と吹抜空間との相互から見通せる状態に形成してあるから、その階にカゴが存在している状態でも、エレベータホール部と吹抜空間との相互の視界を確保することができ、開放的な意匠感が得られる。
更には、カゴに乗っている人から、エレベータホール側や吹抜空間側を見通せ、従来のような閉鎖的なカゴに比べて、変化のある景色を楽しむことができる。また、カゴの昇降に伴っては、あたかも浮遊した状態で空間を移動しているかの体感を得ることができる。
しかも、その開放的な意匠感は、一階層毎の平面的な拡がりに加えて、吹抜空間と連通する各階層との間にも拡がり、各階層と吹抜空間との立体的な連続性が得られ易くなる。
従って、吹抜空間側から各階層を見通した場合は、各階層やカゴが空間に浮游しているように感じられ、各階層側から吹抜空間を見通した場合、あたかも、自らの視点位置が空間に浮游しているかの如く感じることができ、独特の浮游感を備えた内観が得られる。
一方、前記エレベータ装置は、前記吹抜空間においては、前記釣合おもりは昇降せずに前記カゴのみが昇降する状態にローピングしてあるから、吹抜空間におけるエレベータシャフト部から、釣合おもりの存在を無くすことができる。従って、上述のような独特の浮游感を損ない難い。
更には、前記吹抜空間において前記釣合おもりが姿を見せないようにするにあたり、例えば、吹抜空間より上方の範囲のみを釣合おもりが昇降するようにローピングする方法や、通常のエレベータシャフトに加えて、それとは異なる位置に釣合おもりのみが昇降する別のシャフトを連係させて設ける方法等を採用すれば、釣合おもり以外にも、それに関連したロープ・レール・滑車等の存在をも、吹抜空間におけるエレベータシャフト部から無くすことができる。従って、エレベータシャフト部周りの美観性の向上を図れると同時に、上述の開放的な意匠感をより好ましい状態で実現することができる。
以上の結果、エレベータ装置を含む周辺環境に、開放的な意匠感と良好な美観性が得られる。
【０００８】
本発明の第２の特徴構成は、前記エレベータ装置のローピングは、前記カゴと前記釣合おもりとを異なるローピング比によって吊り下げることで、前記吹抜空間に前記カゴのみが昇降するように設定してあるところにある。
【０００９】
本発明の第２の特徴構成によれば、前記吹抜空間にカゴのみが昇降するように設定する上で、ローピング比を異ならせるだけの簡単な構成によって実現することができ、経済的に目的を達成することができる。
また、カゴと釣合おもりとを同じエレベータシャフト内に位置させて、動滑車を追加する程度の構成で実現できるから、点検修理等のメンテナンスにも手間が掛からない。
従って、イニシャルコストのみならずランニングコストの低減をも叶えられる。
【００１０】
本発明の第３の特徴構成は、前記吹抜空間におけるエレベータシャフト部と、その上方で前記カゴと前記釣合おもりとが昇降するエレベータシャフト部との境目に、下方から前記釣合おもりの存在を見え難くする目隠し部が設けてあるところにある。
【００１１】
本発明の第３の特徴構成によれば、吹抜空間や、それに隣接する階層からエレベータシャフト部の上方を見上げた際に、前記目隠し部によって上方の視界が遮られ、前記釣合おもりの存在を見え難くできる。従って、現実的な舞台裏を隠蔽でき、釣合おもり無しにカゴのみで昇降しているが如く見せることができる。
【図面の簡単な説明】
【００１２】
【図１】建物の断面を示す模式図
【図２】建物の平面を示す模式図
【図３】別実施形態の建物の断面を示す模式図
【図４】別実施形態の建物の断面を示す模式図
【図５】別実施形態の建物の断面を示す模式図
【図６】別実施形態の建物の断面を示す模式図
【図７】別実施形態の建物の断面を示す模式図
【発明を実施するための形態】
【００１３】
以下に本発明の実施の形態を図面に基づいて説明する。
【００１４】
図１、図２は、本発明の建物の一実施形態を示すもので、建物Ｂは、複数の階層から構成されており、下層部分の複数階層にわたってアトリウム（吹抜空間）１が形成されている。
また、前記アトリウム１の平面位置には、建物Ｂの上下全階層にわたるエレベータ装置２が設けてある。
前記アトリウム１が形成されている吹抜階層Ｂａの各フロアでは、アトリウム１に面してエレベータホール部３が配置されている。
【００１５】
前記吹抜階層Ｂａにおける各フロアで、アトリウム１に面して取り囲む部分は、視線を極力遮らないようにするために不透明な壁は避け、主に、手摺４や透明ガラス壁（不図示）を設けて落下防止を図りながら、各フロアとアトリウム１とが相互に見通せるように構成されている（図２参照）。
また、エレベータホール部３においても同様で、図２に示すように、エレベータホール部３とアトリウム１との境界部５となるエレベータ外扉５Ａやその左右に位置する化粧壁５Ｂ等は、透明ガラスによって構成してあり、エレベータホール部３とアトリウム１、及び、アトリウム１を挟んだ前後のフロアどうしの視界を妨げ難く、相互から見通せる状態に形成してある。
【００１６】
前記エレベータ装置２は、図１に示すように、ロープ２Ａを介して連係されたカゴ２Ｂと釣合おもり２Ｃとを備えて形成されている。
エレベータ装置２の昇降駆動は、前記ロープ２Ａを巻上げドラム２Ｄに掛けた状態で、モータによって前記巻上げドラム２Ｄを回転駆動させることで実施することができる。
また、当該実施形態においては、動滑車６を用いることで、前記カゴ２Ｂと前記釣合おもり２Ｃとのローピング比を異ならせ、図に示すように、釣合おもり２Ｃの昇降行程Ｈ１が、カゴ２Ｂの昇降行程Ｈ２の１／２となるように設定してある。そして、カゴ２Ｂの昇降行程Ｈ２は、全階層にわたる一方、釣合おもり２Ｃの昇降行程Ｈ１は、上層部分に設定されている。
エレベータシャフト部Ｓの内、アトリウム１より上方に位置するエレベータシャフト部Ｓ１では、カゴ２Ｂと釣合おもり２Ｃとの両方が昇降し、アトリウム１に位置するエレベータシャフト部Ｓ２では、カゴ２Ｂのみが昇降する。
従って、上下の両エレベータシャフト部Ｓにわたって、カゴ２Ｂのガイドとなるカゴ用レールＲ２が設置されている一方、上方のエレベータシャフト部Ｓ１には、釣合おもり２Ｃのガイドとなる錘用レールＲ１も設置されている。また、エレベータシャフト部Ｓ内に設けられている付帯パーツとしては、レールＲの他にも前記ロープ２Ａや、ケーブル（不図示）や前記動滑車６等が設けられているが、アトリウム１部に位置するエレベータシャフト部Ｓ２には、カゴ２Ｂの昇降用のレールＲとロープ２Ａとケーブル（不図示）だけの最小限度のものが設けられている。
また、アトリウム１においては、前記レールＲは、前記境界部５の化粧壁５Ｂの背面側に設置されている（図２参照）。
前記カゴ２Ｂは、矩形箱形形状のカゴ本体９で構成してあり、各階の停止位置で停止した状態で、前記エレベータ外扉５Ａに重なって同時に開閉するエレベータ内扉９ａを含めて周面部分９ｂが透明ガラスによって形成してある。
従って、カゴ２Ｂが停止した状態においても、エレベータホール部３とアトリウム１、及び、アトリウム１を挟んだ前後のフロアどうしの視界を妨げ難く、開放的な雰囲気を維持できる。また、カゴ２Ｂ内からの視界も全周にわたって確保できる。
【００１７】
因みに、アトリウム１より上方に位置するエレベータシャフト部Ｓ１と、アトリウム１に位置するエレベータシャフト部Ｓ２との境目に、シャフト中央側に突出する板状の張り出し部（目隠し部に相当）１０がフロア面に沿って設けてあり（図１参照）、下方から前記釣合おもり２Ａの存在が見え難いようにしてある。
【００１８】
本実施形態の建物Ｂによれば、エレベータホール部３からアトリウム１側、及び、アトリウム１からエレベータホール部３、及び、アトリウム１を挟んだ両側方のフロアどうしをそれぞれ見通すことができ、エレベータ装置２の存在を感じさせない開放的な意匠感が得られる。
しかも、その開放的な意匠感は、一階層毎の平面的な拡がりに加えて、アトリウム１と連通する各階層との間にも拡がり、各階層とアトリウム１との立体的な連続性が得られ易くなる。
従って、アトリウム１側から各階層を見通した場合は、各階層が空間に浮游しているように感じられ、各階層側からアトリウム１を見通した場合（又は、各階層側からアトリウム１を通して前方の各階層を見通した場合）、あたかも、自らの視点位置が空間に浮游しているかの如く感じることができ、独特の浮游感を備えた内観が得られる。
そして、アトリウム１においては、釣合おもり２Ｃは昇降せずにカゴ２Ｂのみが昇降する状態に構成してあるから、上述のような独特の浮游感を損ない難い。
以上の結果、エレベータ装置２を含む周辺環境に、開放的な意匠感と良好な美観性が得られる。
【００１９】
〔別実施形態〕
以下に他の実施の形態を説明する。
【００２０】
〈１〉  前記吹抜空間１は、先の実施形態で説明したように吹抜空間１の両側方に各フロアが形成される形式に限るものではなく、例えば、図３に示すように、吹抜空間１の一方側にのみフロアが形成してある形式であってもよい。また、吹抜空間１は、図４に示すように、建物の外部空間に連通する状態に形成されているものであってもよい。この例によれば、張り出し構造部が形成され、その下部空間が、吹抜空間１として使用されており、吹抜空間１と建物内部空間の各フロアとの境界部５は、透明ガラスによる仕切りが設けられている。エレベータシャフト部Ｓ２は、吹抜空間１に暴露状態で形成されている。
また、吹抜空間１は、建物の全階層の内、下層側に設けてあることに限らず、例えば、図５に示すように、中層に設けてあったり、又は、上層に設けてあってもよい。更には、一部の階層にのみ設けてあることに限らず、全階層にわたって設けてあってもよい（図７参照）。
また、当該建物Ｂ内に、本発明に係わる前記吹抜空間１以外に、従来技術に相当する別の吹抜空間が形成してあってもよい。
〈２〉  前記エレベータ装置２は、先の実施形態で説明したように一つの動滑車６を使用したローピング形式に限るものではなく、例えば、二つ以上の動滑車６を使用したものであってもよい。また、図６に示すように、カゴ２Ｂと釣合おもり２Ｃとのローピング比は１：１でも、釣合おもり２Ｃの昇降行程Ｈ１が、吹抜空間１に重複しないように構成するものであってもよい。
更には、図７に示すように、カゴ２Ｂのエレベータシャフト部Ｓ２とは別の位置に釣合おもり２Ｃ用のシャフト部Ｓ３を設け、吹抜空間１を釣合おもり２Ｃが昇降しないように構成してあってもよい。
【００２１】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２２】
１      アトリウム（吹抜空間に相当）
２      エレベータ装置
２Ａ    ロープ
２Ｂ    カゴ
２Ｃ    釣合おもり
３      エレベータホール部
５      境界部
１０    張り出し部（目隠し部に相当）
Ｓ１    アトリウムより上方に位置するエレベータシャフト部
Ｓ２    アトリウムに位置するエレベータシャフト部
【図１】
0005519986.tif 000002
【図２】
0005519986.tif 000003
【図３】
0005519986.tif 000004
【図４】
0005519986.tif 000005
【図５】
0005519986.tif 000006
【図６】
0005519986.tif 000007
【図７】
0005519986.tif 000008